Podtech/llm-jp-corpus-v4-ja_patent huggingface dataset:
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
コンピュータに記憶されたメディア編集プログラムを実行すると、メディアデータを処理するための方法であって、前記方法が、
（ｉ）第１フォーマットのサンプルのバッファを、メディア編集スイートを含むメディア編集プラットフォーム内に置かれているオーディオトラックから受信することと、
（ｉｉ）前記受信された第１フォーマットのサンプルに応答して、対応する第２フォーマットのサンプルのセットをマルチチャネルオーディオファイルから得ることと、
（ｉｉｉ）ミキシングパラメータのセットに基づき、前記得られた第２フォーマットのサンプルをミックスし、それにより、前記第２フォーマットのサンプルの前記ミキシングから生じた第１フォーマットのサンプルの新しいバッファを定義することと、
（ｉｖ）第１フォーマットのサンプルの前記新しいバッファを出力することと
を含む、メディアデータを処理するための方法。
【請求項２】
前記第１フォーマットのサンプルが参照オーディオファイルから生じている、請求項１に記載の方法。
【請求項３】
前記参照オーディオファイルが、関連付けられたマルチチャネルファイルを参照するようにコード化されている、請求項２に記載の方法。
【請求項４】
（ｉｉ）が、対応する第２フォーマットのサンプルの前記セットを前記関連付けられたマルチチャネルファイルから得ることを含む、請求項３に記載の方法。
【請求項５】
（ｉｉ）が、
ユーザーが、前記関連付けられたマルチチャネルファイル以外のマルチチャネルファイルを指定しているかどうかを判断することを含み、
前記ユーザーが、前記関連付けられたマルチチャネルファイル以外のマルチチャネルファイルを指定していない場合、対応する第２フォーマットのサンプルの前記セットを前記関連付けられたマルチチャネルファイルから得て、
前記ユーザーが、前記関連付けられたマルチチャネルファイル以外のマルチチャネルファイルを指定している場合、対応する第２フォーマットのサンプルの前記セットを前記指定されたマルチチャネルファイルから得る、
請求項３に記載の方法。
【請求項６】
第１フォーマットのサンプルの前記バッファが、既知の起点に対して定義されたシーク位置を示す位置データを含み、かつ、（ｉｉ）が、対応する第２フォーマットのサンプルの前記セットを前記マルチチャネルオーディオファイル内の対応するシーク位置から得ることを含む、請求項２に記載の方法。
【請求項７】
（ｉｉｉ）が、
ユーザー定義のミキシングパラメータのセットを識別することと、
ユーザー定義のオートメーションパラメータのセットを識別することと、
対応する第２フォーマットのサンプルの前記セット内の各サンプルに対して、ユーザー定義のミキシングパラメータの前記セットおよびユーザー定義のオートメーションパラメータの前記セットに基づき、１つ以上のチャネルに変換を適用することと
を含む、請求項１に記載の方法。
【請求項８】
前記マルチチャネルファイルが、それぞれ音楽態様に対応する複数のチャネルを含む、請求項７に記載の方法。
【請求項９】
前記マルチチャネルファイルが、それぞれパーカッションサウンドに対応する複数のチャネルを含む、請求項８に記載の方法。
【請求項１０】
（ａ）複数の空間を含む、グラフィカルレイアウトを定義することであって、各空間が、
（ｉ）前記マルチチャネルファイルの単一のチャネル、または
（ｉｉ）前記マルチチャネルファイルのチャネルの組合せ
のいずれかに対応する、グラフィカルレイアウトを定義することと
（ｂ）ユーザー入力に基づき、１つ以上のオートメーショントラックを定義することであって、各オートメーショントラックが、ミキシング制御を容易にするために時間特定値を定義する、１つ以上のオートメーショントラックを定義することと、
（ｃ）前記時間特定値に基づき、前記ミキシングパラメータを判断することと
を含む、請求項１に記載の方法。
【請求項１１】
前記グラフィカルレイアウトが、ｘ軸およびｙ軸を含み、かつ（ｂ）が、ユーザー入力に基づき、各軸に対してそれぞれのオートメーショントラックを定義し、各オートメーショントラックがメディアタイムラインに対してその軸に対する時間特定値を定義する、請求項１０に記載の方法。
【請求項１２】
前記第１フォーマットのサンプルのセットと関連付けられたユーザー定義のテンポパラメータｔを判断することであって、前記セットが、ｓ個のサンプルによって定義されている、ユーザー定義のテンポパラメータｔを判断することと、
前記テンポパラメータｔに基づき、前記マルチチャネルファイルから取得されるサンプル数ｓ´を判断して、前記ｓ´個のサンプルを前記マルチチャネルファイルから得ることと、
前記得られた第２フォーマットのサンプルをミキシングパラメータの前記セットに基づいてミックスし、それにより、前記第２フォーマットのサンプルの前記ミキシングから生じたｓ´個の第１フォーマットのサンプルの新しいバッファを定義することと、
テンポ変換プロセスを前記ｓ´個の第１フォーマットのサンプルに適用し、それによりｓ個の第１フォーマットのサンプルを定義することと、
ｓ個の第１フォーマットのサンプルの前記新しいバッファを出力することと
を含む、請求項１に記載の方法。
【請求項１３】
前記方法が、メディア編集プログラムと関連付けられたプラグインによって実行される、請求項１〜１２のいずれか１つに記載の方法。
【請求項１４】
請求項１〜１３のいずれか１つに記載の方法を実行するように構成されたコンピュータシステム。
【請求項１５】
プロセッサ上で実行される場合に、前記プロセッサに、請求項１〜１３のいずれか１つに記載の方法を実行させる、コンピュータ実行可能コードを保持する非推移的キャリア媒体。
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
電気化学セルスタックの圧縮システムであって、
スタック配置中に軸に沿って並べられた複数の電気化学セルが含有されるように設計された一体型の中空フレーム
を含み、ここで該フレームは、規定の形状を有し、電気化学セルスタックが挿入されたときに、その外表面の周りに連続する境界を形成し、該フレームは、複数の繊維で形成されている、上記圧縮システム。
【請求項２】
前記フレームが、異なる材料で構成される複数の繊維で形成されている、請求項１に記載の圧縮システム。
【請求項３】
前記フレームが、繊維で形成された多層を包含する、請求項１に記載の圧縮システム。
【請求項４】
前記フレームが、繊維で形成された多層の少なくとも１つとの間に配置された摩擦低減層を包含する、請求項３に記載の圧縮システム。
【請求項５】
前記フレームが、少なくとも２つの対向する壁面を包含する、請求項１に記載の圧縮システム。
【請求項６】
前記フレームがさらに、前記フレームの端部領域に配置された少なくとも１つの端部ブロックが含有されるように設計されている、請求項１に記載の圧縮システム。
【請求項７】
前記フレームがさらに、電気化学セルスタックに圧縮力が適用されるように設計された少なくとも１つの圧縮メカニズムが含有されるように設計されている、請求項１に記載の圧縮システム。
【請求項８】
圧縮メカニズムが、少なくとも１つのジブを包含する、請求項７に記載の圧縮システム。
【請求項９】
圧縮メカニズムが、加熱されたときに膨張するように設計されている、請求項７に記載の圧縮システム。
【請求項１０】
圧縮メカニズムが、２つの別個の部分間に伸長する１つまたはそれより多くの内部打込みねじを包含し、ここで内部打込みねじを一方向で回転させると、２つの部分がさらに互いに離れるように移動し、内部打込みねじを逆方向で回転させると、２つの部分が互いに近づくように移動する、請求項７に記載の圧縮システム。
【請求項１１】
前記フレームが、複数の異なるサイズの電気化学セルスタックが収容されるように設計されている、請求項１に記載の圧縮システム。
【請求項１２】
電気化学スタックの圧縮システムであって、
規定の形状を有する構造であって、
電気化学スタックが形成されるように軸に沿って直列に並べられた複数の電気化学セルと；
電気化学スタックに隣接し且つその軸に沿って配置された電気化学スタックに圧縮力が適用されるように設計された少なくとも１つの圧縮メカニズムと
を受け入れ含有するように設計された、構造
を含み、ここで該構造は、電気化学スタックと少なくとも１つの圧縮メカニズムとが含有されるときに、それらを取り囲む連続する境界を形成する、上記圧縮システム。
【請求項１３】
圧縮メカニズムが、少なくとも１つのジブを包含する、請求項１２に記載の圧縮システム。
【請求項１４】
圧縮メカニズムが、温度の上昇に応答して膨張するように設計されたブロックを包含する、請求項１２に記載の圧縮システム。
【請求項１５】
圧縮メカニズムが、内部打込みねじを包含し、ここで内部打込みねじを第一の方向で回転させると圧縮メカニズムのサイズが増加し、内部打込みねじを第一の方向と逆の第二の方向で回転させると圧縮メカニズムのサイズが減少するように内部打込みねじが設計されている、請求項１２に記載の圧縮システム。
【請求項１６】
前記構造が、巻かれた繊維で形成される、請求項１２に記載の圧縮システム。
【請求項１７】
前記繊維が、非導電性繊維である、請求項１６に記載の圧縮システム。
【請求項１８】
前記繊維が、炭素繊維である、請求項１６に記載の圧縮システム。
【請求項１９】
電気化学スタックの軸に沿った前記構造の高さが、圧縮メカニズムを受け入れたときに圧縮メカニズムによって電気化学スタックに適用された荷重に応答して変化する、請求項１２に記載の圧縮システム。
【請求項２０】
請求項１２に記載の圧縮システムに予荷重をかける方法であって、
前記構造に電気化学スタックを挿入すること；
前記構造に少なくとも１つの圧縮メカニズムを挿入すること；
圧縮システム内で予め決められた荷重が適用されるように圧縮メカニズムを設計すること；
電気化学スタックの軸に沿った前記構造の高さの変化を測定して、圧縮メカニズムによって適用される荷重を決定すること
を含む、上記方法。
【請求項２１】
前記構造に少なくとも１つの端部ブロックを挿入することをさらに含む、請求項２０に記載の方法。
【請求項２２】
圧縮メカニズムが、２つのジブを包含し、圧縮メカニズムの設計が、２つのジブを互いに割り込ませることを包含する、請求項２０に記載の方法。
【請求項２３】
圧縮メカニズムの設計が、圧縮メカニズムを膨張させるために圧縮システムの温度を増加させることを包含する、請求項２０に記載の方法。
【請求項２４】
圧縮メカニズムの設計が、圧縮メカニズムを膨張させるために複数の内部打込みねじを回転させることを包含する、請求項２０に記載の方法。
【請求項２５】
電気化学スタックの圧縮システムであって、
規定の形状を有し、複数の巻かれた繊維で形成された一体型の中空構造と；
電気化学スタックが形成されるように軸に沿って直列に並べられた複数の電気化学セルであって、ここで電気化学スタックは、該構造内に含有されている、電気化学セルと；
該構造内に含有されており、該構造の端部領域に配置された少なくとも１つの端部ブロックと；
該構造内に含有されている少なくとも１つの圧縮メカニズムであって、ここで少なくとも１つの圧縮メカニズムは、電気化学スタックに圧縮力が適用されるように設計されている、圧縮メカニズムと
を含み、ここで該構造が、電気化学スタックの外表面、少なくとも１つの端部ブロック、および少なくとも１つの圧縮メカニズムの周りに、且つそれらに隣接して連続する境界を形成するように、電気化学スタック、少なくとも１つの端部ブロック、および少なくとも１つの圧縮メカニズムは、該構造内で直列に含有される、上記圧縮システム。
【請求項２６】
前記繊維が、圧縮力の変化に応答して伸縮するように設計されている、請求項２５に記載の圧縮システム。
【請求項２７】
少なくとも１つの圧縮メカニズムが、ジブを包含する、請求項２５に記載の圧縮システム。
【請求項２８】
少なくとも１つの圧縮メカニズムが、膨張するように設計されている、請求項２５に記載の圧縮システム。
【手続補正書】
【提出日】平成29年1月16日(2017.1.16)
【手続補正１】
【補正対象書類名】特許請求の範囲
【補正対象項目名】全文
【補正方法】変更
【補正の内容】
【特許請求の範囲】
【請求項１】
コンピューティングデバイスにおいて実施される方法であって、
画像キャプチャデバイスから1つまたは複数の画像を受け取るステップであって、前記1つまたは複数の画像は、環境と、前記環境内の関心対象の1つまたは複数の潜在的なオブジェクトの少なくとも一部分とを含むステップと、
前記コンピューティングデバイスで前記1つまたは複数の画像を記憶するステップと、
前記1つまたは複数の画像の中に含まれる前記環境の少なくとも部分的3次元形状モデルを構築するステップであって、前記少なくとも部分的3D形状モデルは、前記環境内の関心対象の前記1つまたは複数の潜在的なオブジェクトの少なくとも前記一部分を含み、前記少なくとも部分的3D形状モデルは、前記1つまたは複数の画像のうちの少なくとも1つの画像を使用して構築されるステップと、
前記少なくとも部分的3D形状モデルを使用して、ビジュアル検索のために関心対象の少なくとも1つの潜在的なオブジェクトを有する少なくとも1つの修正された画像を自動的に作成するステップであって、前記少なくとも1つの修正された画像は、前記1つまたは複数の画像の中の関心対象の前記少なくとも1つの潜在的なオブジェクトのビューに対して、関心対象の前記少なくとも1つの潜在的なオブジェクトの変更された透視投影ビューを含むステップとを備える方法。
【請求項２】
前記少なくとも1つの修正された画像を、前記ビジュアル検索のためにサーバに自動的にアップロードするステップをさらに備える請求項1に記載の方法。
【請求項３】
前記少なくとも1つの修正された画像を、前記ビジュアル検索のためにサーバにアップロードするステップをさらに備える請求項1に記載の方法。
【請求項４】
前記1つまたは複数の画像は、前記コンピューティングデバイスに関連付けられた画像キャプチャデバイスでキャプチャされ、前記ビジュアル検索のために関心対象の少なくとも1つの潜在的なオブジェクトを有する少なくとも1つの修正された画像を自動的に作成するステップは、ユーザ入力を受け取ることなしに行われる請求項1に記載の方法。
【請求項５】
前記1つまたは複数の画像は、ユーザ入力を受け取ることなしに背景動作中に、前記コンピューティングデバイスに関連付けられた画像キャプチャデバイスで自動的にキャプチャされる請求項1に記載の方法。
【請求項６】
前記1つまたは複数の画像は、或る期間中に、前記期間の少なくとも一部にわたって画像キャプチャデバイスが移動している状態で、前記コンピューティングデバイスに関連付けられた前記画像キャプチャデバイスでキャプチャされる請求項1に記載の方法。
【請求項７】
前記1つまたは複数の画像は、前記コンピューティングデバイスに関連付けられた画像キャプチャデバイスでキャプチャされ、前記画像キャプチャデバイスは、関心対象の前記少なくとも1つの潜在的なオブジェクトに関する奥行き情報をもたらすことができ、前記画像キャプチャデバイスが移動することを要求されないで、前記1つまたは複数の画像をキャプチャする請求項1に記載の方法。
【請求項８】
前記環境内の関心対象の前記1つまたは複数の潜在的なオブジェクトに関連する少なくとも1つの平面構造を求めて前記環境の前記少なくとも部分的3D形状モデルを検索するステップをさらに備える請求項1に記載の方法。
【請求項９】
前記少なくとも部分的3D形状モデルは、structure-from-motionシステムを使用して構築される請求項1に記載の方法。
【請求項１０】
前記環境内の関心対象の前記1つまたは複数の潜在的なオブジェクトの少なくとも前記一部分に関連する少なくとも2つの平面構造を求めて前記環境の前記少なくとも部分的3D形状モデルを検索するステップをさらに備える請求項1に記載の方法。
【請求項１１】
前記ビジュアル検索のために関心対象の少なくとも1つの潜在的なオブジェクトを有する少なくとも1つの修正された画像を自動的に作成するステップは、各修正された画像につき1つの平面構造のゆがみを解消して正面ビューにするステップを備える請求項1に記載の方法。
【請求項１２】
関心対象の少なくとも1つの潜在的なオブジェクトを有する少なくとも1つの修正された画像を自動的に作成するステップは、複数の入力画像から関心対象の前記少なくとも1つの潜在的なオブジェクトの部分を修正して、前記少なくとも1つの修正された画像を作成するステップを備える請求項1に記載の方法。
【請求項１３】
請求項1乃至12の何れか1項に記載の方法を実施するためのコードを含む、コンピュータ可読記憶媒体。
【請求項１４】
1つまたは複数の受け取られた画像を記憶するための手段であって、前記1つまたは複数の画像は、環境と、前記環境内の関心対象の1つまたは複数の潜在的なオブジェクトの少なくとも一部分とを含む手段と、
前記1つまたは複数の画像の中に含まれる前記環境の少なくとも部分的3次元形状モデルを構築するための手段であって、前記少なくとも部分的3D形状モデルは、前記環境内の関心対象の前記1つまたは複数の潜在的なオブジェクトの少なくとも前記一部分を含み、前記少なくとも部分的3D形状モデルは、前記1つまたは複数の画像のうちの少なくとも1つの画像を使用して構築される手段と、
前記少なくとも部分的3D形状モデルを使用して、ビジュアル検索のために関心対象の少なくとも1つの潜在的なオブジェクトを有する少なくとも1つの修正された画像を自動的に作成するための手段であって、前記少なくとも1つの修正された画像は、前記1つまたは複数の画像の中の関心対象の前記少なくとも1つの潜在的なオブジェクトのビューに対して、関心対象の前記少なくとも1つの潜在的なオブジェクトの変更された透視投影ビューを含む手段とを備える装置。
【請求項１５】
前記少なくとも1つの修正された画像を、前記ビジュアル検索のためにサーバに自動的にアップロードするための手段をさらに備える請求項14に記載の装置。
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
モノのインターネット(IoT)のソーシャルネットワーキングのための方法であって、
少なくとも1つの信頼されたIoTデバイスを有するホームIoTネットワークに新しいIoTデバイスを登録するステップと、
前記少なくとも1つの信頼されたIoTデバイスから1つまたは複数の関連するIoTデバイスへの参照を受信するステップであって、前記少なくとも1つの信頼されたIoTデバイスは、前記新しいIoTデバイスが前記ホームIoTネットワークに登録することに応じて、前記新しいIoTデバイスに関連する1つまたは複数の属性に基づいて前記新しいIoTデバイスに前記参照を提供する、ステップと、
前記1つまたは複数の関連するIoTデバイスから出版されるメッセージを購読するステップと
を含む、方法。
【請求項２】
前記1つまたは複数の関連するIoTデバイスが、前記ホームIoTネットワーク、前記ホームIoTネットワークに直接接続された外部IoTネットワーク、または、1つまたは複数の中間ネットワークを通じて前記ホームIoTネットワークに間接的に接続された外部IoTネットワークのうちの1つまたは複数にある請求項1に記載の方法。
【請求項３】
前記1つまたは複数の関連するIoTデバイスから出版された前記メッセージを受信するステップであって、前記新しいIoTデバイスが、前記1つまたは複数の関連するIoTデバイスから、または、前記ホームIoTネットワーク内の購読するIoTデバイスに前記出版されたメッセージをルーティングするマネージャIoTデバイスから、前記出版されたメッセージを受信する、ステップをさらに含む請求項1に記載の方法。
【請求項４】
前記新しいIoTデバイスに関連する前記1つまたは複数の属性に関連性のある1つまたは複数のトピックに関連する1つまたは複数のメッセージを出版するステップであって、前記新しいIoTデバイスが、ローカルのインターフェース、または、前記ホームIoTネットワークおよび外部IoTネットワーク内の購読するIoTデバイスに前記出版されたメッセージをルーティングするマネージャIoTデバイスに関連する遠隔のインターフェースを使用して前記メッセージを出版する、ステップをさらに含む請求項1に記載の方法。
【請求項５】
前記新しいIoTデバイスに関連する前記1つまたは複数の属性と前記1つまたは複数の関連するIoTデバイスから出版された前記メッセージに関連するトピックとの間の相関に基づいて、前記1つまたは複数の関連するIoTデバイスを決定するステップをさらに含む請求項1に記載の方法。
【請求項６】
前記1つまたは複数の関連するIoTデバイスとの友達関係を有する1つまたは複数の追加のIoTデバイスを発見するステップと、
前記1つまたは複数の追加のIoTデバイスから出版されるメッセージを購読するステップと
をさらに含む請求項1に記載の方法。
【請求項７】
前記新しいIoTデバイスに関連する現在の状態または計画された状態に関連性のある1つまたは複数のトピックに関連するメッセージを出版する1つまたは複数の追加のIoTデバイスを発見するステップと、
前記1つまたは複数の追加のIoTデバイスから出版されるメッセージを購読するステップと
をさらに含む請求項1に記載の方法。
【請求項８】
前記1つまたは複数の関連するIoTデバイスから出版された前記メッセージに基づいて、前記新しいIoTデバイスに関連する1つまたは複数の動作を調整するステップをさらに含む請求項1に記載の方法。
【請求項９】
前記新しいIoTデバイスに関連する前記1つまたは複数の属性と1つまたは複数の追加のIoTデバイスに関連する1つまたは複数の属性との間の相関に基づいて、前記ホームIoTネットワークに登録された前記1つまたは複数の追加のIoTデバイスに前記新しいIoTデバイスを参照させるステップと、
前記新しいIoTデバイスに関連する前記1つまたは複数の属性に関連性のある1つまたは複数のトピックに関連する1つまたは複数のメッセージを出版するステップであって、前記新しいIoTデバイスを参照させられる前記1つまたは複数の追加のIoTデバイスが、前記新しいIoTデバイスから出版される前記1つまたは複数のメッセージを購読および受信する、ステップと
をさらに含む請求項1に記載の方法。
【請求項１０】
前記関連するIoTデバイスから出版される前記メッセージの購読を止めるステップと、
前記関連するIoTデバイスから出版される前記メッセージを購読している、前記新しいIoTデバイスを参照させられる前記追加のIoTデバイスのうちの1つまたは複数を特定するステップと、
特定された1つまたは複数の追加のIoTデバイスが前記関連するIoTデバイスから出版される前記メッセージの購読を止めるように勧めるステップと
をさらに含む請求項9に記載の方法。
【請求項１１】
装置であって、
少なくとも1つの信頼されたモノのインターネット(IoT)デバイスを有するホームIoTネットワークに登録するための手段と、
前記少なくとも1つの信頼されたIoTデバイスから1つまたは複数の関連するIoTデバイスへの参照を受信するための手段であって、前記少なくとも1つの信頼されたIoTデバイスは、前記装置が前記ホームIoTネットワークに登録することに応じて、前記装置に関連する1つまたは複数の属性に基づいて前記参照を提供する、手段と、
前記1つまたは複数の関連するIoTデバイスから出版されるメッセージを購読するための手段と
を含む、装置。
【請求項１２】
前記関連するIoTデバイスのうちの1つまたは複数から、または、前記ホームIoTネットワーク内の購読するIoTデバイスに前記出版されたメッセージをルーティングするマネージャIoTデバイスから、前記出版されたメッセージを受信するための手段と、
前記1つまたは複数の関連するIoTデバイスから出版された前記メッセージに基づいて1つまたは複数の動作を調整するための手段と
をさらに含む請求項11に記載の装置。
【請求項１３】
前記1つまたは複数の属性と前記1つまたは複数の関連するIoTデバイスから出版された前記メッセージに関連するトピックとの間の相関に基づいて、前記1つまたは複数の関連するIoTデバイスを決定するための手段をさらに含む請求項11に記載の装置。
【請求項１４】
前記1つまたは複数の関連するIoTデバイスとの友達関係を有するか、又は、現在の状態または計画された状態に関連性のある1つまたは複数のトピックに関連するメッセージを出版する1つまたは複数の追加のIoTデバイスを発見するための手段と、
前記1つまたは複数の追加のIoTデバイスから出版されるメッセージを購読するための手段と
をさらに含む請求項11に記載の装置。
【請求項１５】
コンピュータ実行可能命令を記録するコンピュータ可読ストレージ媒体であって、前記コンピュータ実行可能命令をモノのインターネット(IoT)デバイスで実行することが、前記IoTデバイスに請求項1乃至10のいずれか1項に記載の方法を実行させる、コンピュータ可読ストレージ媒体。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
画像における陰影を減衰するためのコンピュータによって実行される方法であって、
生体を含むマルチスペクトル画像データを処理することと、ここにおいて前記マルチスペクトル画像データは、可視光画像データおよび近赤外線（ＮＩＲ）画像データを備える、
ＮＩＲ波長における光によって照射されるときの人間の肌の反射特性に少なくとも部分的に基づいて、前記マルチスペクトル画像データの生身の肌部分を検出することと、
前記可視およびＮＩＲ画像における対応する画素に関する、可視対ＮＩＲ光の比を計算することによって、前記マルチスペクトル画像データの前記検出された生身の肌部分における陰影を識別することと、
前記可視光画像データの前記検出された生身の肌部分における前記識別された陰影を減衰することと、
を備える、コンピュータによって実行される方法。
【請求項２】
前記識別された陰影を減衰することは、前記ＮＩＲおよび可視光画像データにおける輝度分布を計算することを備える、請求項１に記載の方法。
【請求項３】
前記可視光およびＮＩＲ画像データにおける人間の顔を検出することをさらに備え、前記検出された人間の顔は、前記検出された生身の肌部分の少なくともいくらかを備える、請求項１に記載の方法。
【請求項４】
マルチスペクトル撮像システムで、前記マルチスペクトル画像データをキャプチャすることをさらに備える、請求項１に記載の方法。
【請求項５】
前記マルチスペクトル画像データをキャプチャすることは、可視光画像データおよび近赤外線（ＮＩＲ）画像データをキャプチャすることを備える、請求項４に記載の方法。
【請求項６】
可視光画像データおよびＮＩＲ画像データをキャプチャすることは、
可視光センサで前記生体の可視光画像をキャプチャすることと、
ＮＩＲセンサで前記生体のＮＩＲ画像をキャプチャすることと、
を備える、請求項５に記載の方法。
【請求項７】
撮像システムであって、
生体を含むマルチスペクトル画像データを処理するための手段と、ここにおいて前記マルチスペクトル画像データは、可視光画像データおよび近赤外線（ＮＩＲ）画像データを備える、
ＮＩＲ波長における光によって照射されるときの人間の肌の反射特性に少なくとも部分的に基づいて、前記マルチスペクトル画像データの生身の肌部分を検出するための手段と、
前記可視およびＮＩＲ画像における対応する画素に関する、可視対ＮＩＲ光の比を計算することによって、前記マルチスペクトル画像データの前記検出された生身の肌部分における陰影を識別するための手段と、
前記可視光画像データの前記検出された生身の肌部分における前記識別された陰影を減衰するための手段と、
を備える、撮像システム。
【請求項８】
生体を含むマルチスペクトル画像データをキャプチャするための手段をさらに備える、請求項７に記載の撮像システム。
【請求項９】
前記キャプチャする手段は、可視光センサおよび近赤外線（ＮＩＲ）センサを備える、請求項８に記載の撮像システム。
【請求項１０】
前記処理する手段は、前記マルチスペクトル画像データを処理するようにプログラミングされた生身の被写体検証モジュールを備える、請求項７に記載の撮像システム。
【請求項１１】
前記陰影識別手段は、前記陰影を識別するようにプログラミングされた陰影識別モジュールを備える、請求項７に記載の撮像システム。
【請求項１２】
前記陰影減衰手段は、前記識別された陰影を減衰するようにプログラミングされた陰影減衰モジュールを備える、請求項７に記載の撮像システム。
【請求項１３】
実行されたときに、請求項１〜６のうちのいずれか一項の方法を実施するコードを記憶した非一時的なコンピュータ可読媒体。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
ポータブルコンピューティングデバイス(「PCD」)における電圧モード選択のための方法であって、
前記PCD内の1つまたは複数の構成要素が第1の最小供給電圧レベルにおいて、それより低い温度ではタイミング収束を維持することができない温度を表す、前記PCDにおける第1の動作温度しきい値を規定するステップであって、1つまたは複数の構成要素は、タイミング収束を維持することができない場合、前記PCDは、低い熱エネルギーレベルによって機能を維持することができない、ステップと、
前記PCD内の1つまたは複数の温度センサを監視するステップと、
前記1つまたは複数の温度センサのうちの1つから信号を受信するステップであって、前記信号は、前記第1の動作温度しきい値が達成されたことを示す、ステップと、
前記第1の動作温度しきい値が達成されたことに応答して、前記PCDが機能を維持するように、前記構成要素のうちの1つまたは複数の前記第1の最小供給電圧レベルを第2の最小供給レベルに上昇させるステップと
を含む、方法。
【請求項２】
前記温度しきい値を二度超過したことを認識するステップと、
前記第2の最小電圧供給レベルを低下させて前記第1の最小電圧供給レベルに戻すステップと
をさらに含む、請求項1に記載の方法。
【請求項３】
前記1つまたは複数の温度センサのうちの少なくとも1つは、ダイレベル温度センサである、請求項1に記載の方法。
【請求項４】
前記ダイレベル温度センサは、接合点に関連付けられる、請求項3に記載の方法。
【請求項５】
前記1つまたは複数の温度センサのうちの少なくとも1つは、前記PCDの外殻面に関連付けられる、請求項1に記載の方法。
【請求項６】
ポータブルコンピューティングデバイス(「PCD」)における電圧モード選択のためのコンピュータシステムであって、
前記PCD内の1つまたは複数の構成要素が第1の最小供給電圧レベルにおいて、それより低い温度ではタイミング収束を維持することができない温度を表す、前記PCDにおける第1の動作温度しきい値を規定することであって、1つまたは複数の構成要素は、タイミング収束を維持することができない場合、前記PCDは、低い熱エネルギーレベルによって機能を維持することができない、規定することと、
前記PCD内の1つまたは複数の温度センサを監視することと、
前記1つまたは複数の温度センサのうちの1つから信号を受信することであって、前記信号は、前記第1の動作温度しきい値が達成されたことを示す、受信することと
を行うように構成された電圧モード選択(「VMS」)モジュールと、
前記第1の動作温度しきい値が達成されたことに応答して、前記PCDが機能を維持するように、前記構成要素のうちの1つまたは複数の前記第1の最小供給電圧レベルを第2の最小供給レベルに上昇させる
ように構成された静電圧スケーリング(「SVS」)モジュールと
を含む、コンピュータシステム。
【請求項７】
前記VMSモジュールは、
前記温度しきい値を二度超過したことを認識する
ようにさらに構成され、
前記SVSモジュールは、
前記第2の最小電圧供給レベルを低下させて前記第1の最小電圧供給レベルに戻す
ようにさらに構成される、
請求項6に記載のコンピュータシステム。
【請求項８】
前記1つまたは複数の温度センサのうちの少なくとも1つは、ダイレベル温度センサである、請求項6に記載のコンピュータシステム。
【請求項９】
前記ダイレベル温度センサは、接合点に関連付けられる、請求項8に記載のコンピュータシステム。
【請求項１０】
前記1つまたは複数の温度センサのうちの少なくとも1つは、前記PCDの外殻面に関連付けられる、請求項6に記載のコンピュータシステム。
【請求項１１】
コンピュータ可読プログラムコードを記憶するコンピュータ可読記憶媒体であって、前記コンピュータ可読プログラムコードは、ポータブルコンピューティングデバイス(「PCD」)における電圧モード選択のための方法を実施するために実行されるように構成され、前記方法は、
前記PCD内の1つまたは複数の構成要素が第1の最小供給電圧レベルにおいて、それより低い温度ではタイミング収束を維持することができない温度を表す、前記PCDにおける第1の動作温度しきい値を規定するステップであって、1つまたは複数の構成要素は、タイミング収束を維持することができない場合、前記PCDは、低い熱エネルギーレベルによって機能を維持することができない、ステップと、
前記PCD内の1つまたは複数の温度センサを監視するステップと、
前記1つまたは複数の温度センサのうちの1つから信号を受信するステップであって、前記信号は、前記第1の動作温度しきい値が達成されたことを示す、ステップと、
前記第1の動作温度しきい値が達成されたことに応答して、前記PCDが機能を維持するように、前記構成要素のうちの1つまたは複数の前記第1の最小供給電圧レベルを第2の最小供給レベルに上昇させるステップと
を含む、コンピュータ可読記憶媒体。
【請求項１２】
前記温度しきい値を二度超過したことを認識するステップと、
前記第2の最小電圧供給レベルを低下させて前記第1の最小電圧供給レベルに戻すステップと
をさらに含む、請求項11に記載のコンピュータ可読記憶媒体。
【請求項１３】
前記1つまたは複数の温度センサのうちの少なくとも1つは、ダイレベル温度センサである、請求項11に記載のコンピュータ可読記憶媒体。
【請求項１４】
前記ダイレベル温度センサは、接合点に関連付けられる、請求項13に記載のコンピュータ可読記憶媒体。
【請求項１５】
前記1つまたは複数の温度センサのうちの少なくとも1つは、前記PCDの外殻面に関連付けられる、請求項11に記載のコンピュータ可読記憶媒体。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
複数のトレース（２０２、２０４、３０２、３０４）と、
前記複数のトレースを覆うソルダーレジスト層（２０８、３０８、５０４）と、
前記ソルダーレジスト層を有さず、チップとの電気的接続のために前記複数のトレースの部分を露出する、チップを受けるための露出された部分（５０６）と、
前記複数のトレースからのトレースに結合され、少なくとも部分的に露出され、前記ソルダーレジスト層を少なくとも部分的に有さず、トレースの端部以外の位置に配置されているテスト用パッド（２１０、２１２、２１４、３１０）と
を備える、チップを受けるための基板（２００，３００、５００）。
【請求項２】
前記複数のトレースは、１００ミクロン（μｍ）以下である２つの隣接するトレースの間の中央から中央の距離を有する、請求項１に記載の基板。
【請求項３】
前記基板は、パッケージ基板である、請求項１または２に記載の基板。
【請求項４】
前記露出された部分が、前記複数のトレースの各々に取り付けられているフリップチップを受けるように構成されている、請求項１または２に記載の基板。
【請求項５】
前記フリップチップは、少なくとも熱圧着フリップチップおよび／またはマスリフローフリップチップのうちの１つである、請求項４に記載の基板。
【請求項６】
前記テスト用パッドは、前記基板が前記フリップチップに結合されるとき、前記フリップチップのボンディング構成要素との直接接続がない、請求項４に記載の基板。
【請求項７】
前記ボンディング構成要素は、はんだボールである、請求項６に記載の基板。
【請求項８】
前記テスト用パッドは、前記基板の少なくとも一部を横断するビアパッドである、請求項１から７の何れか一項に記載の基板。
【請求項９】
前記テスト用パッドは、前記テスト用パッドが結合される前記トレースの幅よりも大きい幅を有する、請求項１から８の何れか一項に記載の基板。
【請求項１０】
前記テスト用パッドは、前記基板のテストの間テスト用デバイスのピンに結合するように構成される、請求項１から９の何れか一項に記載の基板。
【請求項１１】
前記基板は、音楽プレーヤ、ビデオプレーヤ、エンタテインメントユニット、ナビゲーションデバイス、通信デバイス、モバイルデバイス、携帯電話、スマートフォン、パーソナルデジタルアシスタント、固定位置端末、タブレットコンピュータ、および／またはラップトップコンピュータのうちの少なくとも１つに組み込まれる、請求項１から１０の何れか一項に記載の基板。
【請求項１２】
基板を提供するための方法であって、
複数のトレースを備える基板を準備するステップ（６０５）と、
前記複数のトレースを覆うソルダーレジスト層を設けるステップ（６１０）と、
前記ソルダーレジスト層を有さず、チップとの電気的接続のために複数のトレースの部分を露出する、チップを受けるための露出された部分を設けるステップと、
少なくとも１つのテスト用パッドを少なくとも部分的に露出させるために前記ソルダーレジスト層の一部分を除去するステップであって、前記テスト用パッドは、少なくとも部分的に露出され、前記ソルダーレジスト層を少なくとも部分的に有さない、ステップ（６１５）と、
トレースの端部以外の位置においてトレースの少なくとも一部を少なくとも部分的に露出するために前記ソルダーレジスト層の一部を除去するステップ（６２０）と、
トレースの露出された部分にさらなるテスト用パッド（２１０、２１２、２１４、３１０）を設ける段階（６２５）と
を含む、方法（６００）。
【請求項１３】
前記複数のトレースは、１００ミクロン（μｍ）以下である２つの隣接するトレースの間の中央から中央の距離を有する、請求項１２に記載の方法。
【請求項１４】
前記テスト用パッドは、前記テスト用パッドが結合される前記トレースの幅よりも大きな幅を有する、請求項１２または１３に記載の方法。
【請求項１５】
音楽プレーヤ、ビデオプレーヤ、エンタテインメントユニット、ナビゲーションデバイス、通信デバイス、モバイルデバイス、携帯電話、スマートフォン、パーソナルデジタルアシスタント、固定位置端末、タブレットコンピュータ、および／またはラップトップコンピュータのうちの少なくとも１つに前記基板を組み込むステップをさらに含む、請求項１２から１４の何れか一項に記載の方法。
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
アルブミン結合アルギニンデイミナーゼ融合たんぱく質を形成するために、アルブミン結合ドメイン、アルブミン結合ペプチドまたはアルギニンデイナミナーゼを含む第２の部分と融合するアルブミン結合たんぱく質から選択される１つまたは２つの構成成分、および１つまたは１つ以上のリンカー分子を含む第１の部分を含み、前記アルブミン結合アルギニンデイミナーゼ融合たんぱく質が前記アルギニンデイミナーゼの活性を保持し、前記融合たんぱく質の一の部分の機能が前記融合たんぱく質の他の部分により妨げられずに血清アルブミンと結合するように前記リンカー分子によって前記第１の部分が前記第２の部分の活性部位から離れて位置し、前記アルギニンデイミナーゼのペグ化が回避され、前記アルブミン結合アルギニンデイミナーゼ融合たんぱく質が配列番号３６、３７、３８、３９、４０または４１から選択される配列を含むアルブミン結合アルギニンデイミナーゼ融合たんぱく質。
【請求項２】
前記第１の部分の前記２つの構成成分が同じである、請求項１に記載のアルブミン結合アルギニンデイミナーゼ融合たんぱく質。
【請求項３】
前記第１の部分の前記２つの構成成分が異なる、請求項１に記載のアルブミン結合アルギニンデイミナーゼ融合たんぱく質。
【請求項４】
前記アルブミン結合ドメインが配列番号４６、４７、４８または４９である、請求項１に記載のアルブミン結合アルギニンデイミナーゼ融合たんぱく質。
【請求項５】
前記アルブミン結合ペプチドが配列番号４６、４７、４８または４９である、請求項１に記載のアルブミン結合アルギニンデイミナーゼ融合たんぱく質。
【請求項６】
前記アルブミン結合たんぱく質が配列番号４６、４７、４８または４９である、請求項１に記載のアルブミン結合アルギニンデイミナーゼ融合たんぱく質。
【請求項７】
前記リンカー分子が配列番号５０、５１、５２、５３またはセリン−グリシン−セリン（ＳＧＳ）アミノ酸配列から選択される配列を含む、請求項１に記載のアルブミン結合アルギニンデイミナーゼ融合たんぱく質。
【請求項８】
ポリ−Ｎまたはヒスチジンタグの少なくとも１つをさらに含む、請求項１に記載のアルブ
ミン結合アルギニンデイミナーゼ融合たんぱく質。
【請求項９】
前記融合が前記第１の部分と前記第２の部分との間のインテイン介在たんぱく質ライゲーションの残りの部分を含む、請求項１に記載のアルブミン結合アルギニンデイミナーゼ融
合たんぱく質。
【請求項１０】
前記インテイン介在たんぱく質がキチン結合ドメインを含む、請求項９に記載のアルブミン結合アルギニンデイミナーゼ融合たんぱく質。
【請求項１１】
前記アルギニンデイミナーゼがマイコプラズマ属、ラクトコッカス属、シュードモナス属、連鎖球菌属、大腸菌属、マイコバクテリウム属またはバチルス属の微生物から生産されるアルギニンデイミナーゼより選択される、請求項１に記載のアルブミン結合アルギニンデイミナーゼ融合たんぱく質。
【請求項１２】
前記アルギニンデイミナーゼがマイコプラズマ・アルギニニ、ラクトコッカス・ラクティス、バチルス・リケニホルミス、バチルス・セレウス、マイコプラズマ・アルスリチジス、マイコプラズマ・ホミニス、化膿性連鎖球菌、肺炎レンサ球菌、マイコバクテリウム・ツベルクローシス、シュードモナス病原因菌、シュードモナス・プチダ、緑膿菌またはこれらの組み合わせから生産される、請求項１１に記載のアルブミン結合アルギニンデイミナーゼ融合たんぱく質。
【請求項１３】
前記アルギニンデイミナーゼと前記アルブミン結合ドメインが共有結合によって結合するように、前記アルブミン結合ドメインのＣ末端でＮ末端にシステイン残基を有する前記アルギニンデイミナーゼと反応性チオエステルとの反応によって前記融合たんぱく質が形成される、請求項１に記載のアルブミン結合アルギニンデイミナーゼ融合たんぱく質。
【請求項１４】
前記アルギニンデイミナーゼと前記アルブミン結合ドメインが共有結合によって結合するように、前記アルギニンデイミナーゼのＣ末端でＮ末端にシステイン残基を有する前記アルブミン結合ドメインと反応性チオエステルとの反応によって前記融合たんぱく質が形成される、請求項１に記載のアルブミン結合アルギニンデイミナーゼ融合たんぱく質。
【請求項１５】
前記アルギニンデイミナーゼと前記アルブミン結合ドメインが共有結合によって結合するように、配列番号４２および４３を使用し、前記アルブミン結合ドメインのＣ末端でＮ末端にシステイン残基を有する前記アルギニンデイミナーゼと反応性チオエステルとの反応によって前記融合たんぱく質が形成される、請求項１に記載のアルブミン結合アルギニンデイミナーゼ融合たんぱく質。
【請求項１６】
薬学的に許容され得るキャリア中に、請求項１に記載のアルブミン結合アルギニンデイミ
ナーゼ融合たんぱく質を含有する医薬組成物。
【請求項１７】
前記組成物のｐＨが５．５から９．５の範囲内である、請求項１６に記載の医薬組成物。
【請求項１８】
前記組成物のｐＨが７．４である、請求項１６に記載の医薬組成物。
【請求項１９】
前記組成物のｐＨが６．５である、請求項１６に記載の医薬組成物。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
（Ａ）酢酸ビニル含量が２５％未満であるエチレン酢酸ビニルポリマー、
（Ｂ）官能化エチレン−α−オレフィンコポリマー、
（Ｃ）ワックス、および
（Ｄ）粘着付与剤
を含むホットメルト接着剤組成物であって、
該接着剤は官能化エチレン−α−オレフィンコポリマーを含まない接着剤よりも改善された低温可とう性および耐熱性を有する、ホットメルト接着剤組成物。
【請求項２】
エチレン酢酸ビニルポリマーが、ＡＳＴＭ  Ｄ１２３８に従って約２００〜約５００のメルトインデックスを有する、請求項１に記載のホットメルト接着剤組成物。
【請求項３】
エチレン酢酸ビニルポリマーが、約２２％未満の酢酸ビニル含量を有する、請求項１に記載のホットメルト接着剤組成物。
【請求項４】
官能化エチレン−α−オレフィンコポリマーが、Ｃ３、Ｃ４、Ｃ５、Ｃ６、Ｃ７、Ｃ８、Ｃ９、Ｃ１０、Ｃ１１またはＣ１２モノマーから選択されるコモノマーとエチレンとを含む、請求項１に記載のホットメルト接着剤組成物。
【請求項５】
官能化エチレン−α−オレフィンコポリマーが、フマル酸、アクリル酸、アセテート、スルホネート、シトラコン酸無水物および無水マレイン酸からなる群より選択される官能基でグラフトされたコポリマーである、請求項１に記載のホットメルト接着剤組成物。
【請求項６】
ワックスが、約８０℃より高い融点を有する、請求項１に記載のホットメルト接着剤組成物。
【請求項７】
粘着付与剤が、脂肪族または脂環式炭化水素、芳香族炭化水素、芳香族修飾脂肪族または脂環式炭化水素、ロジン、ロジンエステルおよびテルペンエステルからなる群より選択される、請求項１に記載のホットメルト接着剤組成物。
【請求項８】
可塑剤および／または油をさらに含む、請求項１に記載のホットメルト接着剤組成物。
【請求項９】
酸化防止剤、安定剤、架橋剤、充填剤、核化剤、粘着促進剤、エラストマー、着色剤、レオロジー調節剤およびそれらの混合物のうちの１種または複数をさらに含む、請求項１に記載のホットメルト接着剤組成物。
【請求項１０】
セルロース系基材と、
（Ａ）酢酸ビニル含量が２５％未満であるエチレン酢酸ビニルポリマー、
（Ｂ）官能化エチレン−α−オレフィンコポリマー、
（Ｃ）ワックス、および
（Ｄ）粘着付与剤
を含む接着剤とを含む物品であって、
該接着剤は官能化エチレン−α−オレフィンコポリマーを含まない接着剤よりも改善された低温可とう性および耐熱性を有する物品。
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
少なくとも４５％の１種又は複数種の有機溶媒を含む水性混合物中に溶解されたポリビニルアルコール及び／又はエチレンビニルアルコール共重合体を含むバリアコーティング組成物。
【請求項２】
前記有機溶媒が、低級アルコールであり、好ましくは前記低級アルコールが、エタノール、工業用変性アルコール、及びこれらの混合物からなる群から選択される、請求項１に記載のバリアコーティング組成物。
【請求項３】
前記有機溶媒が、テトラヒドロフラン、１，３−ジオキソラン（Ｄｉｏｘａｌａｎｅ）、アセトニトリル、酢酸エチル、酢酸ｎ−プロピル、酢酸イソプロピル、アセトン、メチルエチルケトン（ＭＥＫ）、シクロヘキサノン、イソホロン、ヘキサン、ヘプタン、トルエン、エチレングリコール、アルキルセロソルブ、及びジグリセロールジメチルエーテル（ＤＧＭＥ）、からなる群から選択され、好ましくは前記有機溶媒がテトラヒドロフランである、請求項１に記載のバリアコーティング組成物。
【請求項４】
フィラー及び／又は体質顔料をさらに含み、好ましくは前記フィラー又は体質顔料が、２０を超えるアスペクト比を有する、請求項１に記載のバリアコーティング組成物。
【請求項５】
ガス及び／又は有害物質に対するバリアとして機能する、請求項１に記載のバリアコーティング組成物。
【請求項６】
ポリビニルアルコール又はエチレンビニルアルコール共重合体が、１６，０００ダルトン未満の分子量分布を有する、請求項１に記載のバリアコーティング組成物。
【請求項７】
前記ポリビニルアルコール又はエチレンビニルアルコール共重合体が、４％固形分の場合に、４ｍＰａ．ｓ未満の粘度、好ましくは４％固形分の場合に、３ｍＰａ．ｓ未満の粘度を有する、請求項１に記載のバリアコーティング組成物。
【請求項８】
前記ポリビニルアルコール又はエチレンビニルアルコール共重合体が、少なくとも９５％の加水分解度を有する、請求項１に記載のバリアコーティング組成物。
【請求項９】
１４日を超える期間安定である、請求項１〜８のいずれか一項に記載のバリアコーティング組成物。
【請求項１０】
７．５重量％を超える固形分含有量、及び２３℃で３０秒未満（ザーンカップ＃２での流下時間）のコーティング粘度を有する、又は８重量％を超える固形分含有量、及び２３℃で３０秒未満（ザーンカップ＃２での流下時間）のコーティング粘度を有する、又は９重量％を超える固形分含有量、及び２３℃で３０秒未満（ザーンカップ＃２での流下時間）のコーティング粘度を有する、請求項９に記載のバリアコーティング組成物。
【請求項１１】
未乾燥塗膜としてコーティングした場合、次記のルール：ｗｆｍ÷％ＮＶＣ×η≦１２（式中、ｗｆｍは、前記未乾燥塗膜重量（ｇ／ｍ２）；％ＮＶＣは、前記バリアコーティング組成物中の乾燥ポリマー含量の重量％；及びηは、２３℃での(＃２ザーンカップ流下時間）秒で表した前記コーティングの粘度である）に従う、請求項１〜１０のいずれか一項に記載のバリアコーティング組成物。
【請求項１２】
フレキソ印刷機及びグラビア印刷機に適する粘度を有する、請求項１〜１１のいずれか一項に記載のバリアコーティング組成物。
【請求項１３】
ガス及び／又は有害物質に対するバリアを形成するコーティングの作製方法であって、ポリビニルアルコール及び／又はエチレンビニルアルコール共重合体を、少なくとも４５％の１種又は複数種の有機溶媒を含む水性混合物中に溶解することを含む、方法。
【請求項１４】
前記有機溶媒が、低級アルコールである、請求項１３に記載の方法。
【請求項１５】
前記水性混合物に、必要に応じて、２０を超えるアスペクト比を有するフィラー及び／又は体質顔料を添加することをさらに含む、請求項１３に記載の方法。
【請求項１６】
ガス及び有害物質に対するバリアで物品をコーティングする方法であって、請求項１〜１２のいずれか一項に記載のバリアコーティング組成物を前記物品に印刷することを含む方法。
【請求項１７】
前記バリアコーティング組成物が、印刷インキを使ってインライン印刷される、請求項１６に記載の方法。
【請求項１８】
前記物品が、モノウエブ表面印刷構造又は積層体裏刷り構造を含む、請求項１６に記載の方法。
【請求項１９】
請求項１〜１２のいずれか一項に記載のバリアコーティング組成物でコーティングされた、物品、好ましくはプラスチック包装物品。
【請求項２０】
ガス及び／又は有害物質に対するバリアとして機能する、請求項１９に記載の物品。